(57)【要約】【課題】スプレー缶に効率よく液体を注入できるようにする。【解決手段】左右に延びる後部杆２と、この後部杆２の両端部から前方に延びる左右の水平杆３と、これら水平杆３の前端部から下方に延びる左右の垂直杆４と、これら垂直杆４の下端部から後方に延びる左右の下部杆５とからなり、水平杆３に液体入り角缶８を、角缶のコーナーを下にして載置する。【選択図】        図２
2004197795.tif 000002
【特許請求の範囲】
【請求項１】
液体入り缶に取り付けられる弁本体のエア通路に嵌装される球状の弁体と、この弁体をエア通路内の弁受けに当接させてエア通路を閉じるように付勢するコイルスプリングとを有し、液体入り缶内が負圧になったときにコイルスプリングに抗して弁体が弁受けから離れてエア通路が確保されることを特徴とするエア弁。
【請求項２】
左右に延びる後部杆と、この後部杆の両端部から前方に延びる左右の水平杆と、これら水平杆の前端部から下方に延びる左右の垂直杆と、これら垂直杆の下端部から後方に延びる左右の下部杆とからなり、上記水平杆に液体入り角缶を、角缶のコーナーを下にして載置することを特徴とする缶載置スタンド。
【発明の詳細な説明】
【０００１】
【発明の属する技術分野】
本発明は、エア弁および缶載置スタンドに関する。
【０００２】
【従来の技術】
自動車整備工場などで使用されるブレーキ洗浄用スプレー缶は、使い捨てであり、空缶の廃棄や放出されるスプレーガスによる環境への悪影響が問題となっている。
そこで、ブレーキ洗浄液を充填式にするとともに、スプレーガスに代えてエアを用いたスプレー缶が提案されている。
このような充填式のスプレー缶では、缶内の洗浄液がすべて噴射されるだけのエア圧が保証されており、スプレー缶内には定量の洗浄液を注入するとともに、所定圧の加圧エアを充填する必要がある。
定量の洗浄液をスプレー缶に注入するには、９リットル入りで市販されている洗浄液缶から定量液注入具を用いてスプレー缶に注入する。
【０００３】
【発明が解決しようとする課題】
この場合、９リットル入りの洗浄液缶は、作業台の上に置き、作業を行なっているが、洗浄液缶内の洗浄液を最後まで使い切ることができず、一部洗浄液が缶内に残ってしまうという問題があった。
また、定量液注入具を用いて洗浄液缶からスプレー缶に洗浄液を注入しようとする場合、注入量が多いと、洗浄液缶内の気圧が低下し、一時的に流量が低下するという問題があった。
このように従来は、スプレー缶への洗浄液注入作業を効率よく行なえないという課題があった。
【０００４】
本発明は、このような従来の技術が有する課題を解決するために提案されたものであり、スプレー缶に効率よく液体を注入できるエア弁および缶載置スタンドを提供することを目的とする。
【０００５】
【課題を解決するための手段】
この目的を達成するために本発明によるエア弁は、液体入り缶に取り付けられる弁本体のエア通路に嵌装される球状の弁体と、この弁体をエア通路内の弁受けに当接させてエア通路を閉じるように付勢するコイルスプリングとを有し、液体入り缶内が負圧になったときにコイルスプリングに抗して弁体が弁受けから離れてエア通路が確保されることを特徴とする。
【０００６】
また、本発明による缶載置スタンドは、左右に延びる後部杆と、この後部杆の両端部から前方に延びる左右の水平杆と、これら水平杆の前端部から下方に延びる左右の垂直杆と、これら垂直杆の下端部から後方に延びる左右の下部杆とからなり、上記水平杆に液体入り角缶を、角缶のコーナーを下にして載置することを特徴とする。
【０００７】
【発明の実施の形態】
以下、本発明の実施の形態を図面に基づき詳細に説明する。
図１の斜視図に本発明による缶載置スタンドの一実施形態を示す。この図で、この缶載置スタンド１は、１本の金属パイプを折り曲げて製作され、左右に延びる後部杆２と、この後部杆２の両端部から前方に延びる左右の水平杆３と、これら水平杆３の前端部から下方に延びる左右の垂直杆４と、これら垂直杆４の下端部から後方に延びる左右の下部杆５とからなる。
また、左右の水平杆３および左右の下部杆５には、ゴムチューブまたはビニールチューブなどからなる滑り止めチューブ６，７が嵌め込まれている。
そして、左右の水平杆３に、図２に示すように液体入り角缶８を、出口部９に近いコーナーを下にして載置する。滑り止めチューブ６，７を嵌め込んだことにより、缶８の安定が図られるとともに、液注入作業中のスタンド１の作業台上での動きを抑えることができる。
【０００８】
液体入り角缶８の出口部９には、例えば図３に示すような定量液注入具１０が取り付けられる。この定量液注入具１０は、レバー１１を上方に倒すことにより、弁１２が開いて液体入り角缶８内の洗浄液などの液体１３が透明な計量タンク１４内に流入し、定量の液体１３が計量タンク１４内に入ったことが確認されたあとは、レバー１１を下方に倒して弁１２を閉ざす。その後、スプレー缶の口金を定量液注入具１０の下端部のスライド部材１５に押し当てて弁１６を開くことにより、計量タンク１４内の液体１３をスプレー缶内に注入することができる。
【０００９】
このように缶載置スタンド１にコーナーを下にして液体入り角缶８を載置することにより、液体入り角缶８内の液体１３を最後まで使い切ることができるようになる。
【００１０】
つぎに、液体入り角缶８の上部に取り付けられるエア弁１７の構成を図４に基づいて説明する。
弁本体１８の外周の雄ねじ部１９には、テーパー状の弁受け２０を有する弁受け本体２１が螺着されている。弁受け本体２１の中心部には、弁受け２０に連通する吸気口２２が穿設されている。
弁本体１８のエア通路２３内に設けられている弁室２４には、弁受け２０に対峙して球体の弁体２５が嵌装されている。弁本体１８内の段部と弁体２５間には、常時弁体２５を弁受け２０に当接させてエア通路２３を閉ざすコイルスプリング２６が嵌装されている。
【００１１】
このように構成されるエア弁１７は、外周に雄ねじが形成されているテーパー状の打ち込み部２７を液体入り角缶８のコーナーに近い上部に打ち込むことにより取り付けられる。缶面とフランジ部２８との間には、気密保持用のパッキン２９が嵌め込まれている。
このエア弁１７は、定量液注入具１０の計量タンク１４内に液体１３を流入させている間に、液体入り角缶８内が負圧になると、図５に示すようにコイルスプリング２６に抗して球状の弁体２５が弁受け２０から離れて、エア通路２３を開くため、液体入り角缶８内にエアが吸気されるようになり、液注入作業中に注入液流量が低下するような不具合を解消できる。
また、液注入作業を行なわないときは、弁体２５がエア通路２３を閉ざしているため、液体入り角缶８内の揮発ガスが外部に漏れ出ることを防止できる。
【００１２】
【発明の効果】
以上説明したように本発明にるエア弁によれば、液注入作業の都度、液体入り缶内が負圧になると、外気が缶内に流入し、安定した流量が得られるという利点がある。
また、本発明による缶載置スタンドによれば、出口部に近いコーナーを下にして液体入り角缶を載置できるため、缶内の液体を最後まで使い切ることができるという利点がある。
【図面の簡単な説明】
【図１】本発明による缶載置スタンドの一実施形態を示す斜視図である。
【図２】上記スタンドに液体入り角缶を載置した状態を示す斜視図である。
【図３】液体入り角缶の出口部に取り付けられる定量液注入具を示す縦断面図である。
【図４】本発明によるエア弁を示す断面図である。
【図５】上記エア弁の動作を示す断面図である。
【符号の説明】
１  缶載置スタンド
２  後部杆
３  水平杆
４  垂直杆
５  下部杆
６，７  滑り止めチューブ
８  液体入り角缶
９  出口部
１０  定量液注入具
１１  レバー
１２  弁
１３  液体
１４  計量タンク
１５  スライド部材
１６  弁
１７  エア弁
１８  弁本体
１９  雄ねじ部
２０  弁受け
２１  弁受け本体
２２  吸気口
２３  エア通路
２４  弁室
２５  弁体
２６  コイルスプリング
２７  打ち込み部
２８  フランジ
２９  パッキン
【図１】
2004197795.tif 000003
【図２】
2004197795.tif 000004
【図３】
2004197795.tif 000005
【図４】
2004197795.tif 000006
【図５】
2004197795.tif 000007